(57)【要約】  バランスボードには上側と下側がある。この下側はボールの上に乗せて、ユーザが上側の上でバランスを取るように構成される。ボードはほぼ長手方向とこの長手方向をほぼ横切る横方向とを画定するように形作られる。ボードは、上側を画定し下側に略平坦領域を有する第１の上部分と、第１の上部分に連結され平坦領域の一部分を少なくとも実質的に囲む壁を画定する第２の下部分とからなる。ボードの長手方向における囲まれた部分の距離は横方向における囲まれた距離よりも長い。囲まれた部分では、横方向における囲まれた部分の距離よりも短い直径のボールでバランスを取ることができ、ボードは少なくとも球の回転自由度と垂直方向以外の方向における並進自由度によってボールに対して移動できる。
2009539530.tif 000002
【特許請求の範囲】
【請求項１】
上側と下側を有するバランスボードであって、
前記下側はボールの上に乗せてユーザが前記上側の上でバランスを取るように構成され、前記ボードはほぼ長手方向と前記長手方向をほぼ横切る横方向とを画定するように形作られ、前記ボードは前記上側を画定し前記下側に略平坦領域を有する第１の上部分と、前記第１の上部分に連結され前記平坦領域の一部分を少なくとも実質的に囲む壁を画定する第２の下部分とからなり、前記ボードの長手方向における前記一部分の距離は前記横方向における前記一部分の距離よりも長いため、前記一部分では前記横方向における前記一部分の距離よりも短い直径のボールでバランスを取ることができ、前記ボードは少なくとも球の回転自由度と垂直方向以外の方向における並進自由度によって前記ボールに対して移動できる、バランスボード。
【請求項２】
上側と下側を有するバランスボードであって、
前記下側はボールの上に乗せてユーザが前記上側の上でバランスを取るように構成され、前記ボードはほぼ長手方向と前記長手方向をほぼ横切る横方向とを画定するように形作られ、前記ボードは前記上側を画定する第１の上部分と、前記長手方向と前記横方向において前記第１の上部分と実質的に同一平面上に広がり前記第１の上部分に連結される第２の下部分とからなり、前記第２の下部分は開口を有することで前記第１の上部分の下側の略平坦部分が露出され、前記略平坦部分は前記開口によって画定された壁に囲まれ、前記ボードの長手方向における前記略平坦部分の距離は前記横方向における前記略平坦部分の距離よりも長いため、前記略平坦部分では前記横方向における前記略平坦部分の距離よりも短い直径のボールでバランスを取ることができ、前記ボードは少なくとも球の回転自由度と垂直方向以外の方向における並進自由度によって前記ボールに対して移動できる、バランスボード。
【請求項３】
上側と下側を有するバランスボードであって、
前記下側はボールの上に乗せてユーザが前記上側の上でバランスを取るように構成され、前記ボードはほぼ長手方向と前記長手方向をほぼ横切る横方向とを画定するように形作られ、前記ボードは前記下側から垂下する壁部材が取り付けられる略平坦領域を有し、前記壁部材は該壁部材の内に囲まれた前記平坦領域の一部分を画定し、前記ボードの長手方向における前記一部分の距離は前記横方向における前記一部分の距離よりも長いため、前記一部分では前記横方向における前記一部分の距離よりも短い直径のボールでバランスを取ることができ、前記ボードは少なくとも球の回転自由度と垂直方向以外の方向における並進自由度によって前記ボールに対して移動できる、バランスボード。
【請求項４】
前記ボードは前記長手方向に対して対称であり、前記横方向に対しても対称である、請求項１〜３のいずれかに記載のバランスボード。
【請求項５】
前記壁は、真の楕円形状よりも端部が平らになっているほぼ楕円形状を構成する平らな楕円形状の境界を画定する、請求項１〜４のいずれかに記載のバランスボード。
【請求項６】
前記壁は囲まれた部分を画定し、前記囲まれた部分の長手方向距離は前記ボード上におけるユーザの脚の間の平均的な距離であるスタンスを超えず、前記囲まれた部分の横方向距離は踵からつま先までの平均的な距離を越えない、請求項１〜５のいずれかに記載のバランスボード。
【請求項７】
前記ボードの上側の少なくとも一部にユーザの足が滑らないようにする面が設けられる、請求項１〜６のいずれかに記載のバランスボード
【請求項８】
直径が前記横方向における前記一部分の距離よりも短いボールと組み合わせた請求項１〜７のいずれかに記載のバランスボードを含む、エクササイズ装置。
【発明の詳細な説明】
【技術分野】
【０００１】
本開示物は、バランスボードに関する。
【背景技術】
【０００２】
サーファー、スノーボーダー、スケートボーダーは、何らかの理由（雪不足やサーフィンに適した波がないこと）で自身が興味のあるスポーツを練習できないときに、その特定のスポーツに関する技、特にバランスを練習できるようにしたいと思っている。この要求を満足させるために、一般にバランスボードとして知られている多数の装置が文献で提案されており、こういったものの幾つかは市販もされている。このようなボードは、理学療法や事故の犠牲者に対するリハビリテーションでも使われている。バランスボード自体にスポーツやエクササイズのアイテムとしての価値もある。
【０００３】
一般にこのような装置はユーザが上に立つボードからなり、このボードは何らかの形態の転動体によって支持されている。このような装置のなかには、円筒形のローラを利用するものもある。その他の装置は、実質的にボードの下の固定位置に取り付けられるがあらゆる方向に自由に転がってボードを支持する球を利用する。このような球またはローラをボードの下に取り付けることによって、製造上の重大な問題が生じる。さらに、このような装置は全て、ユーザが行えるエクササイズが制限されてしまうことに悩まされている。一般にこのような装置は、例えばサーフィンの際に実際に経験する運動の範囲には遥かに及ばない。ボールの上でボードのバランスをとるだけのバランスボードも提案されている。例えばボールがボードの下から転がってしまうことによって、ユーザは頻繁にボードから落ちてしまうだろう。ボードにはその下に実質的に凹形の表面が設けられている。しかしこれによってボードは複雑な構成となってしまい、高価すぎて一般のサーファー、スノーボーダー、スケートボーダーが買えるような価格の商業規模で販売できない。またこのような装置はキャビティを超えたボールの運動を良好に制約できない。というのも、縁まで続くスムースな凹形状はボールを縁に向かってガイドするだけで、単純な過度の運動でボールが縁を越えてしまいがちでユーザがボードから落ちてしまう。ボールの運動を制限しようとする他の試みでは、種々の可能な運動の範囲が制約されてしまうかまたは使用時にユーザが簡単に落ちるボードとなってしまう。本出願人の知る限りでは、この問題を満足いくように克服した提案はこれまでにない。
【発明の概要】
【発明が解決しようとする課題】
【０００４】
本開示物はこのような従来の装置の欠点を克服しようとするものであり、特に、比較的単純であるために比較的安価に製造できる構造を提供することによって欠点を克服しようとするものである。
【課題を解決するための手段】
【０００５】
したがって本開示物の１態様では上側と下側を有するバランスボードが提供されており、下側はボールの上に乗せてユーザが上側の上でバランスを取るように構成され、ボードはほぼ長手方向とこの長手方向をほぼ横切る横方向とを画定するように形作られ、ボードは上側を画定しその下側に略平坦領域を有する第１の上部分と、この第１の上部分に連結され平坦領域の一部分を少なくとも実質的に囲む壁を画定する第２の下部分とからなり、ボードの長手方向における該一部分の距離は横方向における距離よりも長いため、該一部分では横方向における該一部分の距離よりも短い直径のボールでバランスを取ることができ、ボードは少なくとも球の回転自由度と垂直方向以外の方向における並進自由度によってボールに対して移動できる。
【０００６】
本開示物の第２の代替的な態様によると上側と下側を有するバランスボードが提供されており、下側はボールの上に乗せてユーザが上側の上でバランスを取るように構成され、ボードはほぼ長手方向とこの長手方向をほぼ横切る横方向とを画定するように形作られ、ボードは上側を画定する第１の上部分と、長手方向と横方向において第１の上部分と実質的に同一平面上に広がり第１の上部分に連結される第２の下部分とからなり、第２の下部分は開口を有することで第１の上部分の下側の略平坦部分が露出し、略平坦部分は開口によって画定される壁に囲まれ、ボードの長手方向における略平坦部分の距離は横方向における距離よりも長いため、略平坦部分では横方向における略平坦部分の距離よりも短い直径のボールでバランスを取ることができ、ボードは少なくとも球の回転自由度と垂直方向以外の方向における並進自由度によってボールに対して移動できる。
【０００７】
本開示物の第３の代替的な態様によると、上側と下側を有するバランスボードが提供されており、下側はボールの上に乗せてユーザが上側の上でバランスを取るように構成され、ボードはほぼ長手方向とこの長手方向をほぼ横切る横方向とを画定するように形作られ、ボードはその下側から垂下する壁部材が取り付けられる略平坦領域を有し、壁部材はその壁部材の内に囲まれた平坦領域の一部分を画定し、ボードの長手方向における該一部分の距離は横方向における距離よりも長いため、該一部分では横方向における該一部分の距離よりも短い直径のボールでバランスを取ることができ、ボードは少なくとも球の回転自由度と垂直方向以外の方向における並進自由度によってボールに対して移動できる。
【０００８】
ボードは、直径が横方向における該一部分の距離よりも短いボールと共に使うと横方向における並進運動が容易にできるために、最も良く機能する。ボールがより大きな直径の場合はあまり満足のいく経験を得ることはできないが、このようなオーバーサイズのボールと共にボードを使用することはできる。
【０００９】
垂直方向に関しては、ボールが圧縮することによる運動の自由に対する制約は完全ではない。熟練したユーザならば、ボードおよび／またはボールをバウンドさせる技を行うこともできるかもしれない。
【００１０】
下側の略平坦領域は完全に平らでなくてよい。中心がわずかにくぼんでいてもよく、「略平坦」という用語はこのような変形例も包含するものと理解される。ただし自身を囲む壁を伴う略平坦領域は、縁で終結する幾つかの従来のボードにおける略凹形領域とは異なるものである。主な欠点である費用以外に、このような従来の装置はキャビティを超えるボールの運動を良好に制約することができない。というのも、縁まで続くスムースな凹形状ではボールを縁に向かってガイドするだけで、単純な過度の運動でボールが縁を越えてしまいユーザがボードから落ちてしまうからである。
【００１１】
ボードは長手方向に対して対称であり、横方向に対しても対称であることが好ましい。
【００１２】
壁は最大限の範囲を超えたボールとボードの相対的な運動を制約する役目を果たし、これにより、ボードの上でバランスを取るユーザが落ちてしまう原因となるボールがボードの下から転がり出ることが抑えられる。ただし壁はこの現象を完全に防ぐことはできない。本気のユーザまたは非常に未熟なユーザは、苦労の程度の差こそあれボールの直径に対する壁の高さによってはボールに壁を越えさせることができてしまうかもしれない。壁はエンドレス壁であることが好ましいが、エンドレス壁ではない壁における隙間がその内でボールを制約するという壁の機能に影響を及ぼさない程度に十分狭いならば、不連続部分があってもよい。
【００１３】
接着剤または締結手段によって連結される２つまたはそれより多くの別個の部材でボードを製造することができる。ボードをプラスチックから形成するならば、一体構造として成形することができる。
【００１４】
ボードとボールをバランスボードセットとして一緒に供給できると好ましい。壁によって画定される境界は、ボールがボードの長手方向における極端に位置する状態で横方向の運動をできるように下平面図で平らな楕円形状をとることが好ましく、そうすることでユーザは実質的に片足のみに体重をかけてバランスを練習することができる。
【００１５】
好適な装置では、バランスを失うことによってユーザがボードから落下する可能性を減らすように、長手方向と横方向におけるこの一部分の距離を選択する。したがって長手方向における極端な各位置にボールがある場合、ユーザの足はボールの中心の上かまたはそれよりも外側寄りにあるとよい。そうすることでユーザは、ボードが水平でユーザの全体重が片足にかかっている場合でもバランスを失わず、ボードから落下しない。同様にボールが横方向における両極端の位置のいずれかにありユーザが踵またはつま先でバランスを取っている場合、踵またはつま先の位置はそれぞれボールの中心の上にあるとよい。各ユーザの違いを受け入れユーザが種々の直径のボールで練習できるようにするために、好ましいボードでは囲まれた部分の長手方向距離は平均的なスタンス（ボード上にあるユーザの脚の間の距離）よりも僅かに短く、囲まれた部分の横方向距離は踵からつま先までの平均的な距離よりも僅かに短いことが好ましい。
【図面の簡単な説明】
【００１６】
【図１】上から見たバランスボードの一実施形態の全体的な斜視図である。
【図２】下から見た図１のバランスボードの全体的な斜視図である。
【図３】図１および２のバランスボードの上平面図である。
【図４】図１〜３のバランスボードの下側平面図である。
【図５】図１〜４のバランスボードの側面図である。
【図６】図１〜５のバランスボードの端面図である。
【図７】バランスボードがどのようにボールと協働するのかを示す、図４にほぼ類似する図である。
【図８ａ】ユーザがどのようにしてボードの上で種々の位置を取りつつバランスを維持のかを示す概略図である。
【図８ｂ】ユーザがどのようにしてボードの上で種々の位置を取りつつバランスを維持のかを示す概略図である。
【図８ｃ】ユーザがどのようにしてボードの上で種々の位置を取りつつバランスを維持のかを示す概略図である。
【図８ｄ】ユーザがどのようにしてボードの上で種々の位置を取りつつバランスを維持のかを示す概略図である。
【図８ｅ】ユーザがどのようにしてボードの上で種々の位置を取りつつバランスを維持のかを示す概略図である。
【図８ｆ】ユーザがどのようにしてボードの上で種々の位置を取りつつバランスを維持のかを示す概略図である。
【図９】エンドレス壁のより大きな縮尺の平面図である。
【図１０】壁をボードの下側に適切に連結させるための皿穴の位置を示す、図９の壁の１／４セグメントの拡大図である。
【図１１】図１０の直線ＸＩ−ＸＩに沿って切り取った断面図である。
【図１２】上から見たバランスボードの第２の実施形態の全体的な斜視図である。
【図１３】下から見た図１２のバランスボードの全体的な斜視図である。
【図１４】図１２および１３のバランスボードの上平面図である。
【図１５】図１２〜１４のバランスボードの下側平面図である。
【図１６】バランスボードがどのようにボールと協働するのかを示す、図１２〜１５のバランスボードの側面図である。
【図１７】図１５の直線ＸＩＩ−ＸＩＩに沿って切り取った拡大断面図である。
【発明を実施するための形態】
【００１７】
バランスボードの実施形態を、一例として、添付図面を参照して以下により詳細に説明する。
【００１８】
まず図１〜７を参照すると、バランスボード１には上側２と下側３がある。この下側３は、エンドレス壁部材５が取り付けられる略平坦領域４を含む。このエンドレス壁部材は、以下により詳細に説明するように、連結または当接される幾つかのセクションからなるのが好ましい。
【００１９】
エンドレス壁５は下側３から垂下し、壁５内にこれに囲まれた平坦領域４の一部分６を画定する。特に図２、４、５から分かるように、囲まれた部分６がボードの下側の大部分を占めている。
【００２０】
ボードの上側２には、その長手方向両端に離間した接触面７が設けられている。接触面部分７は、ボードを使用する際にユーザの足が滑らないように構成されている。好適な装置では、例えばＰＲ６  ８ＲＱ、ランカシャー州チョーリーにあるＨｅｓｋｉｎｓ  ＬｔｄからＳａｆｅｔｙ−Ｇｒｉｐ（商標）という商標で市販されているテープ、またはフランスのシャロンヌシュルロワール（Ｃｈａｌｏｎｎｅｓ−ｓｕｒ−Ｌｏｉｒｅ）にあるＴＢＳ Ｅｒａｍ−ＩｎｄｕｓｔｒｉｅからＮｏｎ−Ｓｌｉｐ（商標）という商標で市販されているテープなどのグリップテープをボードの上に貼り、接触面部分７を設けている。別の装置では、きめがあり（ｔｅｘｔｕｒｅｄ）、かつ／もしくは輪郭のある上面を設けた薄いゴムまたは弾性プラスチックシートをボードに接着してもよい。さらなる代替例では、サーファーがサーフボードを使うために準備をする際に使用する種類のワックスをボードの上面２の両端領域７に塗布するだけでもよい。
【００２１】
壁５は、高さＨだけボードの下側３から垂下している（図７および１０を参照のこと）。Ｈは壁５の断面よりも低くてもよいがこの断面よりも低くないほうが適しており、（図１０および１１のように）わずかに高いほうが好ましい。ボード１を適当なボール８の上に配置すると（ボールを地面または他の表面上に置くだけでよい）、ユーザはボードの上でバランスを取ることができ（図８ａ〜８ｆを参照のこと）、ボールは囲まれた部分６と壁５によって有効に画定されたキャビティ内に殆ど拘束されている。明らかなように、ボールが壁５に制約される程度はボールの直径と壁の高さＨに依存し、直径が小さく高さＨが高いほどボールは上述のキャビティから出ないように制約される。したがって、図８ｂ、８ｃ、８ｅ、８ｆに示すように、壁５がボールとボードの相対的な停止制約運動を有効的にもたらす。図８ａ〜８ｆのそれぞれにおいてボードは水平に示されている。しかし、ユーザがボードを長手方向と横方向、またはこれらの間の全ての方向に僅かに傾けるために、全ての方向に球の自由度が存在することも容易に理解できるであろう。ユーザはボードをボールに対して並進方向に移動することもできるため、唯一実質的に有効に制約される方向は垂直方向である。ボールは多少圧縮するため、この制約は完全ではない。特に熟練したユーザは、ボードおよび／またはボールをバウンドさせる技を行うこともできるかもしれない。
【００２２】
垂下する壁部材５の好適な形態を例示する図９〜１１を参照すると、壁は４つのセグメント９、１０、１１、１２からなり、これらのセグメントがボード１の下側３に適宜固定されて連続する壁５を形成する。各セグメントはその隣接部分で接している。セグメントを隙間なく接合することが必須ではないことが理解されるであろう。よって、壁には不連続部分があってもよい。つまり、その不連続部分には壁によって囲まれる領域内にボールを制約するという壁の機能に影響を及ぼさない程度に壁のセグメント間に僅かな隙間が存在してもよい。図９から分かるように、セグメント９と１１は同一でセグメント１０と１２は互いの鏡像になっている。また、壁５は実質的に平らな楕円形の輪の形状をとり、ボード１の長手方向軸線１３と横方向軸線１４を画定することも図９から容易に分かる。図９および１０から分かるように、壁５の曲率半径は、壁５と横方向軸線とが交差する位置１５から位置１６までは減少し、この位置１６から壁５と長手方向軸線とが交差する位置１７まで再び増大する。よって、平らな楕円形状をもたらす。この形状によって、ボールに対するボードの移動の長手方向最端でも（図８ｂおよび８ｃ）ユーザは図８ｄ、８ｅ、８ｆに示すように横方向運動を行うことができるため、この形状は重要である。このようにして陸地でもバランスボード１とボール８を使用することで、ユーザはサーフィンでサーフボードをコントロールするのに実際に使用する運動を擬似体験することができる。
【００２３】
陸地でサーファーが訓練したり雪のない所でスノーボーダーが訓練したりするのに使用する他に、説明したボードの実施形態によって可能となる広範囲の運動とユーザが練習時に落ちないようにする現実的な対策によって、このボードは理学療法と事故の犠牲者に対するリハビリテーションにも有用になる。ボードバランシング自体がスポーツになるかもしれない。
【００２４】
上述したように、単に垂下する壁を設けるだけではボードの下側からボールの運動は制約されるが、ユーザがボードから落ちてしまうこともありうる。ボールはその運動の両極端で壁の縁に接触するため、壁５の縁はボールの損傷の可能性を減らすために図１１の断面図の１８に示すように丸められるのが好ましい。
【００２５】
バランスを失うことによるボードからの落下の可能性を、囲まれた部分６の長手方向の最長距離と横方向の最長距離を選択することで減らすことができる。長手方向上の一方の極端な位置におけるボールの中心と長手方向上の他方の極端な位置におけるボールの中心との距離がユーザの脚の間の距離（スタンス）を超えなければ、ボードを水平にした状態でユーザの全体重が片足にかかっている長手方向上の極端な位置におけるバランス位置は、ボールの中心から垂直方向上にあるため、ボールとボード、ボールと地面の接触点の上にある。これと同様に、横方向上の一方の極端な位置におけるボールの中心と横方向上の他方の極端な位置におけるボールの中心との距離がユーザの踵からつま先までの距離を越えなければ、ボードを水平にした状態で全体重がユーザのつま先または踵にかかっている横方向上の極端な位置におけるバランス点も、ボールの中心の上にある。さらなる安全性を考慮するため、またユーザのスタンス、足のサイズ、好みのボードが異なるため、長手方向距離は平均的なスタンスよりも僅かに短く、横方向距離は踵からつま先までの平均距離よりも僅かに短い（図８ｂ、８ｃ、８ｅ、８ｆを参照のこと）。
【００２６】
添付図面の図１〜１１に示したバランスボードの実施形態は大部分のユーザを満足させるものであろうが、特別限定版のボードには余長とその全長にわたってグリップパネル７を設け、上級ユーザがボードウォーキングや「ハングテン」という手法を練習できるようにしてもよい。技のために特に軽量のボードを提供してもよい。典型的には長手方向が５０ｃｍ〜８０ｃｍという寸法のボードなら大体の要件を満足するであろうが、ボードの寸法をユーザの身長やスタンスに合うようにしてもよい。
【００２７】
示されているボードは原則として平らであるが、１９でわずかにくびれているのが平面図で分かるだろう。このくびれ領域１９におけるボードの縁領域２０は、縁に向かってテーパ付けされた厚みを有することができる。またボードは原則として平らであるが、長手方向において壁５を超えた領域における長手方向端を上方に湾曲させ、スケートボードに似た形状をとることもできる。
【００２８】
エンドレス壁の好適な構成は平らな楕円形状の輪であるが、他の形状も実現可能である。例えばやや好適な装置では、壁の形状は単純な矩形フレームをなしてもよい。ただし、示されている装置のほうがより好ましい。平らな端領域２１によって体量が殆ど片足にかかる長手方向両極端における横方向のトレーニングが可能なだけでなく、ゆるく湾曲した側部によって横方向の極端から極端までの大きく優雅な湾曲が可能になり、ある運動から別の運動へのスムースな移行が可能になる。さらに、丸い形状によってボールを安全に使用できる領域が最大になるだけでなく、図１１に示すように壁自体が丸められた輪郭を持つことと合わせてボールと床の摩耗が最小になる。
【００２９】
したがって、上述の実施形態におけるように平らな楕円形の輪の形態の垂下する壁を選択することは、広範囲の運動を可能にするためにも安全性の考慮のためにも重要であり、さらに製造もしやすいということが理解できるであろう。
【００３０】
１つまたはそれより多くの壁部分をメインボード部分の下側に連結させることに関して上述したが、構造全体を一体構造としてプラスチックから成形してもよいことも理解できるであろう。
【００３１】
図１２〜１７に示すバランスボード１０１の実施形態には、上側１０２と下側１０３がある。下側１０３は、連続する壁１０５によって囲まれた略平坦領域１０４を含む。このボードは、好ましくは積層される２つの部分から形成されるが、他の接合方法も利用できる。上部分１０６は、ボードの上側１０２と略平坦領域１０４も画定する。第２の部分１０７には、壁１０５を画定する開口１０８がある。
【００３２】
壁１０５の寸法は、第１の実施形態の垂下する壁部分１９の内部の寸法と同じでよい。実際には、ボードの第２の実施形態はボードの境界へと広がる垂下する壁部分を有する。
【００３３】
ボードの第２の実施形態は、第１の実施形態と全く同じように使用することができる。
【００３４】
第２の実施形態と第１の実施形態の相違点は、製造のしやすさである。同じ寸法の部分１０６と１０７を同じ工具で作ることができ、この部分の幾らかの部分に切り抜きを設けて開口１０８を提供する。そして開口のある一方と開口のないもう一方の２つの部分を単に積層するだけである。ただし、完全に当接しなくてもよい幾つかの別個の部品で連続壁１０５を作った下部分を有する、同じように作動する構造を作れることも容易に理解できるであろう。狭い間隙によってなる壁の不連続部分は、使用の際ボードに影響を及ぼさない。その他は同一であるが一体的な構造を、ボードをプラスチックからシングルピースで成形することで作ることができることも理解できるであろう。
【図１】
2009539530.tif 000003
【図２】
2009539530.tif 000004
【図３】
2009539530.tif 000005
【図４】
2009539530.tif 000006
【図５】
2009539530.tif 000007
【図６】
2009539530.tif 000008
【図７】
2009539530.tif 000009
【図８】
2009539530.tif 000010
【図９】
2009539530.tif 000011
【図１０】
2009539530.tif 000012
【図１１】
2009539530.tif 000013
【図１２】
2009539530.tif 000014
【図１３】
2009539530.tif 000015
【図１４】
2009539530.tif 000016
【図１５】
2009539530.tif 000017
【図１６】
2009539530.tif 000018
【図１７】
2009539530.tif 000019
【国際調査報告】
2009539530.tif 000020
2009539530.tif 000021
2009539530.tif 000022